(57)【特許請求の範囲】
【請求項１】
本体１０に、通電することで発熱する発熱体１１と、その発熱体１１の周囲の蒸散体載置部１２を設け、その発熱体１１の発熱によって蒸散体載置部１２で囲まれた部分に熱気流が発生する装置本体１と、
通気性を有し、厚さ０．０２ｍｍ〜１．０ｍｍで、シート密度０，０５〜１．０ｇ／ｃｍ３のシートに薬剤を含浸して保持した薬剤保持体２０と、固定具３０を有する蒸散用薬剤蒸散体２を備え、
前記固定具３０は、薬剤保持体２０の周縁部を支持する支持部３０ａと、前記蒸散体載置部１２に接する取付部３０ｂを有し、その取付部３０ｂが蒸散体載置部１２に接することで、発熱体１１の上面１１ａと薬剤保持体２０の下面２０ａが間隔を置いて相対向し、かつ発熱体１１の上面１１ａと薬剤保持体２０の下面２０ａと固定具３０で囲まれた空間部２２を形成するようにしたことを特徴とする薬剤蒸散装置。
【請求項２】
前記空間部２２に外気が流入するようにした請求項１記載の蒸散用薬剤蒸散体。
【発明の詳細な説明】
【技術分野】
【０００１】
本発明は、蒸散用薬剤蒸散体から薬剤を蒸散して大気に放散する薬剤蒸散装置に関する。
【背景技術】
【０００２】
従来の薬剤の蒸散装置としては、薬剤を含浸して保持した薬剤保持体を発熱体により加熱して薬剤を蒸散する装置が知られている。
その代表的な例は電気蚊取器である。電気蚊取器は、薬剤を含浸して保持する殺虫マットを電気的に加熱される発熱体上に載置し、薬剤を蒸散させて殺虫等の目的に用いられるものであり、該殺虫マットとしては、パルプや石綿等を主とする繊維板などの基材（例えば、略３ｍｍ程度の厚み）に薬剤（例えば、ピレスロイド系殺虫剤、徐放化剤、酸化防止剤などからなる液剤）を塗布して含浸させたものが用いられている。
【０００３】
この電気蚊取器は、殺虫マット内部の温度分布のバラツキが大きいために使用終了後の薬剤の残存率が大きい。
また、長時間に亘って発熱体に接し加熱されるために殺虫成分が熱分解される。
これらのために薬剤を無駄にし不経済であった。
さらに、蒸散時においては初期に薬剤の蒸散量が多く、時間の経過と共に蒸散量が減少することから殺虫効力が低下し、均一な殺虫効果を得ることができない。
【０００４】
前述のことを解消するための薬剤の蒸散装置が特許文献１、特許文献２に開示されている。
特許文献１に開示された薬剤の蒸散装置は、薬剤を含浸保持した蒸散板を発熱体上に載置し、その発熱体によって蒸散板を直接加熱する薬剤を蒸散する装置において、その蒸散板の厚みを０．５〜２．８ｍｍで、かつ蒸散面の周縁部の一部又は全部に突起部を形成した装置である。
【０００５】
特許文献２に開示された薬剤の蒸散装置は、開口部を有する容器内に薬剤含浸体を設けて薬剤蒸散体とし、その容器を発熱体に載置して発熱体と薬剤含有体を離隔することで、その薬剤含有体を間接的に加熱して薬剤を蒸散する装置である。
【０００６】
【特許文献１】実公昭５９−３５５２１号公報
【特許文献２】特開２００２−２８１８８０号公報
【発明の開示】
【発明が解決しようとする課題】
【０００７】
前述した特許文献１，２に開示した薬剤の蒸散装置によれば、使用終了後の薬剤の残存率が小さくなるし、熱分解が低減するが、それらの薬剤の蒸散装置は、薬剤保持体（蒸散板、薬剤含有体）を直接又は間接的に発熱体で加熱して薬剤保持体を高温度とし、その熱によって薬剤を薬剤蒸散体から蒸散させる装置であるから、その薬剤保持体の内部に絶えず熱がこもる。このために薬剤保持体に含浸保持されている薬剤がある程度は熱分解される。
また、薬剤保持体内部の温度分布のバラツキが大きく、使用終了後の薬剤の残存率を十分に小さくできない。
これらのことが相俟って、特許文献１，２に開示された従来の薬剤の蒸散装置でも薬剤（有効成分）を無駄なく満足できる程度に有効利用できない。
【０００８】
本発明の目的は、薬剤の熱分解を抑え、使用終了後の薬剤の残存率を十分に小さくして薬剤を無駄なく満足できる程度まで有効利用できる薬剤蒸散装置を提供することである。
【課題を解決するための手段】
【０００９】
本発明は、本体１０に、通電することで発熱する発熱体１１と、その発熱体１１の周囲の蒸散体載置部１２を設け、その発熱体１１の発熱によって蒸散体載置部１２で囲まれた部分に熱気流が発生する装置本体１と、
通気性を有し、厚さ０．０２ｍｍ〜１．０ｍｍで、シート密度０，０５〜１．０ｇ／ｃｍ３のシートに薬剤を含浸して保持した薬剤保持体２０と、固定具３０を有する蒸散用薬剤蒸散体２を備え、
前記固定具３０は、薬剤保持体２０の周縁部を支持する支持部３０ａと、前記蒸散体載置部１２に接する取付部３０ｂを有し、その取付部３０ｂが蒸散体載置部１２に接することで、発熱体１１の上面１１ａと薬剤保持体２０の下面２０ａが間隔を置いて相対向し、かつ発熱体１１の上面１１ａと薬剤保持体２０の下面２０ａと固定具３０で囲まれた空間部２２を形成するようにしたことを特徴とする薬剤蒸散装置である。
【００１０】
本発明においては、前記空間部２２に外気が流入するようにしても良い。
【００１１】
このようにすれば、空間部２２に流入する外気によって発熱体１１の発熱による熱気流を促進し、スムーズな熱気流の流れが生じる。
【発明の効果】
【００１２】
請求項１に係る発明によれば、薬剤保持体２０の内部に熱気流が流通するので、内部に熱がこもることがないと共に、内部の温度分布が均一となり、薬剤の熱分解が抑制されると共に、使用終了後の薬剤の残存率を十分に小さくできる。
よって、薬剤を無駄なく満足できる程度に有効利用できる。
【００１３】
しかも、取付部３０ｂを蒸散体載置部１２に接して蒸散用薬剤蒸散体２を装置本体１に取付け、発熱体１１に通電して発熱することで、薬剤を蒸散して大気に放散できる。
【発明を実施するための最良の形態】
【００１４】
本発明の実施の形態を図１に基づいて説明する。
装置本体１と蒸散用薬剤蒸散体２で薬剤蒸散装置を構成している。
前記装置本体１は、本体１０に発熱体１１と、発熱体１１周囲の蒸散体載置部１２を設けたものである。
前記本体１０は底面板１３と周面板１４と上面板１５で空洞部１０ａを有する容器形状で、その上面板１５に開口部１６が形成してある。この開口部１６の周縁部上面が前述の蒸散体載置部１２で、その開口部１６の内周面に支持片１７が設けられ、この支持片１７に接するように発熱体１１が設けられる。
前記発熱体１１は通電することで発熱するもので、その発熱体１１には本体１０内に設けた図示しない電池や、商用電源から通電される。
【００１５】
このようであるから、装置本体１は発熱体１１が発熱することで蒸散体載置部１２で囲まれた部分に熱気流、つまり温度の高い空気の流れが発生する。
【００１６】
前記蒸散用薬剤蒸散体２は、薬剤保持体２０と固定具３０を備えている。
前記薬剤保持体２０は通気性を有するシート材２１に薬剤を含浸して保持した薄い板状で、その全域に亘って上下面に空気（熱気流）がスムーズに流通する。
この薬剤保持体２０は発熱体１１と同一の平面形状であることが好ましいが、弓形状、逆皿形状など異なる平面形状であっても良い。
【００１７】
前記固定具３０は、前述の薬剤保持体２０の周縁部を支持する支持部３０ａと、前記蒸散体載置部１２に接すると共に、薬剤保持体２０よりも下方に突出する取付部３０ｂを備え、この固定具３０の取付部３０ｂを蒸散体載置部１２に接して取付けることで、前記薬剤保持体２０の下面２０ａが発熱体１１の上面１１ａと間隔を置いて相対向する。好ましくは平行に相対向する。
前記取付部３０ｂを薬剤保持体２０よりも下方に突出させることなしに、装置本体１の蒸散体載置部１２を発熱体１１の上面１１ａよりも上方に位置させることで、発熱体１１の上面１１ａと薬剤保持体２０の下面２０ａを間隔を置いて相対向することができる。
【００１８】
前記固定具３０の具体形状の一例を図２に基づいて説明する。
固定具３０は支持部材３１と押え部材３２を備え、その支持部材３１は支持枠３３の内面に支持片３４を設けた形状である。
前記支持枠３３は本体１０の開口部１６の開口縁上部形状とほぼ同一形状で、その支持枠３３の下端部３３ａが前述の取付部３０ｂである。前記薬剤保持体２０は支持枠３３の内周面とほぼ同一形状で、その下面２０ａの周縁部が支持片３４に接する。
前記押え部材３２は支持枠３３の内周面に嵌合して取付けられる枠形状で、この押え部材３２と支持片３４で薬剤保持体２０を挟持して支持する。
つまり、支持片３４と押え部材３２で前述の支持部３０ａを構成する。
【００１９】
このようであるから、本体１０の蒸散体載置部１２に固定具３０の取付部３０ｂを接して装置本体１に蒸散用薬剤蒸散体２を取付けることで、薬剤保持体２０の下面２０ａと発熱体１１の上面１１ａが間隔を置いて対向する。
この状態で発熱体１１に通電して発熱させることで、熱気流が発生する。
この熱気流は薬剤保持体２０の内部を通過して上昇するが、その熱気流が薬剤保持体２０の内部を通過する際に薬剤保持体２０自体を加熱して薬剤を蒸散し、その蒸散した薬剤が熱気流とともに上昇して大気に放散される。
【００２０】
前述のように発熱体１１の発熱により発生した熱気流を薬剤保持体２０の内部に通過することで、その熱気流で加熱して薬剤を蒸散するので、薬剤保持体２０の内部に熱がこもることがないし、内部の温度分布が均一となるから、薬剤の熱分解が抑えられるし、使用後に残存する薬剤量が少なく残存率を十分に小さくできる。
したがって、薬剤を無駄なく満足できる程度まで有効利用することができる。
【００２１】
前述の実施の形態において、蒸散体載置部１２、取付部３０ｂがリング形状で、発熱体１１の上面１１ａと薬剤保持体２０の下面２０ａと固定具３０で囲まれた空間部２２が形成されるので、前述の発熱体１１の発熱による熱気流を促進するには前記空間部２２に外気が流入するようにすれば良い。
例えば、本体１０の蒸散体載置部１２と固定具３０の取付部３０ｂとの間に隙間を形成し、その隙間から空間部２２に外気が流入するようにする。
具体的には、図３に示すように固定具３０の取付部３０ｂ（支持枠３３の下端部）に切欠部３５を形成して蒸散体載置部１２との間に隙間２３を形成する。
【００２２】
また、図４に示すように蒸散体載置部１２に凹凸１２ａを形成し、その凸部に固定具３０の取付部３０ｂ（支持枠３３の下端面）を載置し、その凹部と固定具３０の取付部３０ｂ（支持枠３３の下端面）との間に隙間２３を形成する。
【００２３】
また、空間部２２に外気が流入するようにするには、図５に示すように固定具３０の取付部３０ｂに穴３６を形成し、その穴３６で空間部２２に外気が流入するようにしても良い。
【００２４】
また、本体１０の空洞部１０ａから外気が空間部２２内に流入するようにしても良い。
例えば、図６に示すように本体１０の底面板１３に穴１８を形成して空洞部１０ａ内に外気が流入するようにし、その外気が支持片１７に形成した切欠部１７ａを通って開口部１６と発熱体１１の隙間から空間部２２に流入するようにする。前記穴１８は底面板１３に限ることなく、側面板１４に形成しても良い。
【００２５】
前記蒸散用薬剤蒸散体２の第２の実施の形態を図７と図８に基づいて説明する。
この実施の形態は、固定具３０の形状が異なり、その固定具３０で薬剤保持体２０の周縁部、中央部、複数の中間部を支持するようにしてある。
例えば、支持部材３１の支持片３４を、リング部３４ａと十文字部３４ｂを有する形状とし、押え部材３２をリング部３２ａと十文字部３２ｂを有する形状としてある。
【００２６】
このようにすれば、薄い板状の薬剤保持体２０を強固に支持できる。
【００２７】
前述の蒸散体載置部１２と固定具３０の取付部３０ｂは、相互に嵌合し合う形状としても良く、このようにすれば蒸散用薬剤蒸散体２を本体１０にしっかりと取付けできる。
【００２８】
また、前述の固定具３０を、薬剤保持体２０よりも上方まで突出した筒状部を有する形状で、熱気流（上昇気流）を促進するようにしても良い。
例えば、押え部材３２を長尺な筒形状とする。
【００２９】
また、図示は省略するが、前述の支持部材３１のみで固定具３０とし、この支持部材３１の支持片３４に薬剤保持体２０の周縁部を熱定着などで固着するようにしても良い。
すなわち、固定具３０は、少なくとも薬剤保持体２０の周縁部を支持する形状であれば良い。
【００３０】
本発明のシート材２１に用いるシートは、通気性を要求されるため、不織布や織編物等に加工してなる形態が好ましい。さらに、材質としては使用される薬剤に応じ、耐薬剤性を有することが望まれる。例えば、天然繊維としてパルプ、綿、羊毛、麻、絹等、合成繊維としてポリプロピレン、ポリエチレン、ポリアミド、ポリエチレンテレフタレート、ポリブチレンテレフタレート、ポリサルフォン、レーヨン、メタアクリル酸樹脂、ガラス繊維等が挙げられる。
【００３１】
前記シート材２１のシートとしては、薬剤の保持性を確保するために、その厚さは０．０２ｍｍ〜１．０ｍｍの範囲が好ましい。
また、薬剤を蒸散（熱気流の流通性）させやすくするためには、シートの密度は０．０５〜１．０ｇ／ｃｍ３の範囲が好ましい。
【００３２】
前記固定具３０の材質としては、樹脂類（ポリエチレンテレフタレート、ポリプロピレン、ポリエチレン、ポリアセタール、ナイロン、アクリル、ＡＢＳ、ＡＳなど）合成紙、金属類などが挙げられる。
【００３３】
本発明に用いる薬剤としては、従来から用いられている加熱により蒸散する害虫防除剤（殺虫剤、忌避剤、昆虫成長制御剤、殺ダニ剤、防虫精油など）、芳香剤、消臭剤、除菌剤、殺菌剤、害獣忌避剤などが挙げられる。
また、前述の薬剤の内、殺虫剤はピレスロイド系殺虫剤、有機リン系殺虫剤、カーバメート系殺虫剤などがあり、安全性が高いことからピレスロイド系殺虫剤が好適に用いられ、例えばアレスリン、フラメトリン、プラレトリン、テラレスリン、トランスフルトリン、エムペントリン、メトフルトリン、プロフルトリン、ペルメトリン、フェノトリン、シフェノトリン、レスメトリン、天然ピレトリンなどが挙げられる。
【００３４】
前記薬剤に、溶解剤（脂肪酸エステル類、多価アルコール類など）、酸化防止剤（ジブチルヒドロキシトルエン、ジブチルハイドロキノンなど）、共力剤（ピペロニルブトキサイド、ＭＧＫ２６４など）、色素（アントラキノン系色素、メチン系色素など）、顔料、紫外線吸収剤、香料などを必要に応じて使用する。
【図面の簡単な説明】
【００３５】
【図１】本発明の実施の形態を示す断面図である。
【図２】蒸散用薬剤蒸散体の分解斜視図である。
【図３】発熱体と薬剤保持体との間の空間部に外気を流入する第１の実施の形態を示す断面図である。
【図４】発熱体と薬剤保持体との間の空間部に外気を流入する第２の実施の形態を示す断面図である。
【図５】発熱体と薬剤保持体との間の空間部に外気を流入する第３の実施の形態を示す断面図である。
【図６】発熱体と薬剤保持体との間の空間部に外気を流入する第４の実施の形態を示す断面図である。
【図７】蒸散用薬剤蒸散体の第２の実施の形態を示す取付け状態の断面図である。
【図８】蒸散用薬剤蒸散体の第２の実施の形態を示す分解斜視図である。
【符号の説明】
【００３６】
１…装置本体、２…蒸散用薬剤蒸散体、１０…本体、１１…発熱体、１２…蒸散体載置部、２０…薬剤保持体、２１…シート体、３０…固定具、３０ａ…支持部、３０ｂ…取付部。
【図１】
0004399788.tif 000002
【図２】
0004399788.tif 000003
【図３】
0004399788.tif 000004
【図４】
0004399788.tif 000005
【図５】
0004399788.tif 000006
【図６】
0004399788.tif 000007
【図７】
0004399788.tif 000008
【図８】
0004399788.tif 000009